Podtech/llm-jp-corpus-v4-ja_patent huggingface dataset:
(57)【要約】【課題】この考案は、手袋をはめて物体をにぎるとき、すべらないようにするものである。【解決手段】手袋の内側の手の掌側にゴムの凸起をつけてすべら無くする。【選択図】図１
0003111846.tif 000002
【実用新案登録請求の範囲】
【請求項１】
手袋の内側の手の掌側にゴムの凸起をつけた、すべらない手袋。
【考案の詳細な説明】
【考案の詳細な説明】
【技術分野】
【０００１】  この考案は、手袋の内側で手の掌側にゴムの凸起をつけた、すべらない手袋。
【背景技術】
【０００２】  従来のすべらない手袋は、手袋の表面の掌側にゴムの凸起をつけている。これでは手袋をして物体を握ると、手袋と物体はすべらないが、手袋と手の間がすべる。
【考案が解決しようとする課題】
【０００３】  本案は、手袋と手の間をすべらなくして、すべらない手袋にするものである。
【課題を解決するための手段】
【０００４】  いまその解決手段を、図面を追いながら説明すれば
（イ）手袋の内側で手の掌側にコムの凸起（３）をつける。
（ロ）手袋をはめて物体を握る場合のすべり面は、物体と手袋、手袋と手の掌の２面がある。
物体と手袋のすべり止めにはすでに手袋の表面にゴムの凸起つけている。
手袋と手の掌には何もなくすべりやすかったので、手袋の内側の手の掌側にゴムの凸起をつけてすべらなくする。
【考案の効果】
【０００５】  手袋をはめて物体をにぎる場合すべらなくなる。
【図面の簡単な説明】
【図１】  本考案の平面図
【図２】  本考案の断面図
【符号の説明】
２は手袋右手内側で手の掌側
３はゴムの凸起
【図１】
0003111846.tif 000003
【図２】
0003111846.tif 000004
(57)【要約】      （修正有）【課題】問題集の使用者が各問題及び／またはその解答についての検討や分析を、長時間かけて意図的に行うように自然に誘導されることにより、効果的に学習できる問題集を提供する。【解決手段】問題集１０は、複数の紙を綴じた冊子とＣＤ４０とを組み合わせてなる。冊子の問題掲載部分２０には複数の問題が掲載されており、解答部分３０には各問題に対する解答が掲載されている。問題掲載部分２０に掲載された各問題及び解答部分３０に掲載された各解答についての各解説がＣＤ４０に録音されている。ＣＤ４０に録音された解説は、予備校の実力派スター講師によるものである。【選択図】図１
0003111899.tif 000002
【実用新案登録請求の範囲】
【請求項１】
複数の問題が掲載されており、紙を綴じた冊子である問題冊子と、該問題冊子に掲載された各問題及び／またはそれらの各解答についての各解説が録音されたＣＤとを組合わせたことを特徴とする問題集。
【請求項２】
前記問題冊子に掲載された各問題に対する解答が掲載されており、紙を綴じた冊子である問題解答冊子をさらに組合わせ、前記ＣＤには前記問題冊子に掲載された問題及び／または該問題解答冊子に掲載された解答についての解説が録音されている請求項１に記載の問題集。
【請求項３】
前記ＣＤに録音された解説は、予備校の実力派スター講師によるものである請求項１又は２に記載の問題集。
【考案の詳細な説明】
【技術分野】
【０００１】
本考案は学習のための問題集に関し、日常学習や受験のための学習用の問題集に関する。
【背景技術】
【０００２】
受験勉強などの学習を行う場合に、学習したことの復習や、試験問題に慣れる訓練や、試験問題の傾向を知るためなどに問題集が使用されている。従来の問題集は、問題が複数掲載された冊子であり、問題に対する解答は各問題に隣接した箇所にそれぞれ記載され、あるいは巻末にまとめて記載されているか、または問題冊子とは別の問題解答冊子にまとめられている。また、解答に隣接して、問題及び／または解答についての簡単な解説文が記載されている。
【０００３】
このような問題集を使用した学習においては、使用者は問題を解くという作業、及び出した答が正解だったかどうかに主眼を置きがちで、問題にどのような出題意図があり、何が試されているのか、どのような解法が適しているか等はあまり意識されていなかった。例えば、偶然正解だったとしても正解であることに安心してしまい、それ以上の検討や分析は行われないことが多かった。問題集の解答部分や解答冊子の解説文に有益なことが記載されていたとしても、問題集による学習の主眼は「問題を解く」及び「答合せをする」という作業に置かれているので、問題及び解答についての検討や分析という作業に費やす時間及び労力は非常に小さく抑えられがちであった。すなわち、解説文は読みとばされてしまっていた。また、解説文が無い場合や極く簡単にしか記載されていない場合には、使用者が参考書や教科書を開いて問題及び解答についての検討や分析を行わなければならないが、問題集に掲載されている各問題とは必ずしもリンクされていないために的確な研究は困難だった。
【考案の開示】
【考案が解決しようとする課題】
【０００４】
よって本考案の目的は、問題集の使用者が各問題及び／またはその解答についての検討や分析を、長時間かけて意図的に行うように自然に誘導されることにより、効果的に学習できる問題集を提供することにある。
【課題を解決するための手段】
【０００５】
上記目的を達成するために請求項１に記載の考案は、複数の問題が掲載されており、紙を綴じた冊子である問題冊子と、該問題冊子に掲載された各問題及び／またはそれらの各解答についての各解説が録音されたＣＤとを組合わせて問題集を構成した。請求項２に記載の考案は、前記問題冊子に掲載された各問題に対する解答が掲載されており、紙を緩じた冊子である問題解答冊子をさらに組合わせ、前記ＣＤには前記問題冊子に掲載された問題及び／または該問題解答冊子に掲載された解答についての解説が録音されているように請求項１に記載の問題集を構成した。
【０００６】
請求項１及び２に記載の考案に係る問題集においては、使用者は問題集に掲載された問題を解いた後、解答を参照しつつ、ＣＤを再生して、解いた問題及び／またはそれらの解答についての解説を聴く。解説には、各問題の出題意図や解法やその問題を解くために効果的な学習方法やその問題や類似問題が過去に出題された入試試験の学校及び年度等が含まれている。ＣＤに録音された解説は、予備校の実力派スター講師によるものでもよい。
【考案の効果】
【０００７】
以上のように、請求項１及び２に記載の考案に係る問題集によると、問題集の使用者は問題を解いた後に各問題及び／またはそれらの解答についての解説を聴くので、文字による解説のように読みとばされることなく、時間をかけて意識を集中して解説を頭に入れることになる。よって、学習効果を著しく向上させることができる。解説を予備校の実力派スター講師にさせれば、解説に説得力が生じ、より大きな学習効果を期待することができる。
【考案を実施するための最良の形態】
【０００８】
以下、図面を参照しつつ本考案に係る問題集の最良の形態について詳細に説明する。なお、以下の説明は考案をより深く理解するためのものであって、実用新案登録請求の範囲を限定するためのものではない。
【０００９】
図１は、本考案に係る問題集の一つの実施の形態を示す斜視図である。
【００１０】
同図において、複数の紙葉を綴じた1冊の冊子である問題集１０は、問題掲載部分２０、解答部分３０及び2枚のＣＤ４０とからなる。
【００１１】
問題掲載部分２０は巻頭近くに配置され、各頁には問題が印刷されている。解答部分３０は巻末近くに配置され、問題掲載部分２０に印刷された各問題の解答が印刷されている。
【００１２】
2枚のＣＤ４０は、問題集１０の表紙の裏側に貼付けられた袋にそれぞれ収容されている。各ＣＤ４０には、問題掲載部分２０に印刷された各問題及び解答部分３０に印刷された各解答についての解説がそれぞれトラックごとに分割されて録音されている。録音は、予備校のスター講師によりなされている。
【００１３】
次に、本実施の形態の作用について説明する。
【００１４】
問題集の使用者は、まず問題掲載部分２０に印刷されている問題を解き、隣接する解答欄に解答を記入する。任意の単位の問題を解き終ったら、解答部分３０の対応する箇所を開き、解答が正解かどうか確認する。
【００１５】
次に使用者は、一方のＣＤ４０を袋から取出してＣＤプレーヤー（図示していない）にセットし、該当するトラックを選択して解説を再生する。使用者は解説を聴くことにより、出題意図や解法等について、深く学習することができる。
【００１６】
以上、本考案の実施の形態について説明したが、本考案は上記実施の形態に限定されるものではなく、本考案の要旨の範囲内において、適宜変形実施が可能であることは言うまでもない。
【図面の簡単な説明】
【００１７】
【図１】図１は、本考案に係る問題集の一つの実施の形態を示す斜視図である。
【符号の説明】
【００１８】
１０  問題集
２０  問題掲載部分
３０  解答部分
４０  ＣＤ
【図１】
0003111899.tif 000003
(57)【要約】      （修正有）【課題】包装袋を簡単な構造によって開けやすくし、手作業よる包装や機械作業による包装にも極めて便利な包装用袋を提供する。【解決手段】包装袋において、袋本体（１）の開口部であって、商品（Ａ）を挿入する，相対向する開口縁（２ａ、２ｂ）のうち、一方の開口縁を、他方の開口よりずらした位置に設け、かつ、その付近に、切り込み線（３）を入れて構成し、これら包装袋本体（１）を複数枚重合し、重合部（４）に固定手段（５）を用いて束ねた包装袋から構成される。【選択図】図１
0003111855.tif 000002
【実用新案登録請求の範囲】
【請求項１】
包装袋において、該袋本体（１）の開口部であって、商品（Ａ）を挿入する、相対向する開口縁（２ａ、２ｂ）のうち、一方の開口縁を、他方の開口よりずらした位置に設け、かつ、その付近に、切り込み線（３）を入れて構成し、これら包装袋本体（１）を複数枚重合し、該重合部（４）に固定手段（５）を用いて束ねたことを特徴とする包装袋。
【考案の詳細な説明】
【技術分野】
【０００１】
この考案は、野菜等を包装するための包装袋に関するものである。
【背景技術】
【０００２】
従来、包装袋は、あらゆる商品や品物を包装する際に用いるものであるが、紙製のものも多いが、野菜類を包装する包装袋は、大抵は、合成樹脂フィルムを素材として構成されている。
【０００３】
しかし、これらの袋は、通常、透明であり、包装袋の相対向する開口部の縁が同一の位置に位置するため、品物を入れる際、袋本体を開口することが、非常に困難であり、そのため無駄な時間もかかるという欠点があった。
【０００４】
その結果、手作業で袋を開けて品物を入れる場合においても、大量の品物を機械的に入れる場合にも、一定時間内に確実に袋が開かないため、大変、不便であり、極めて作業効率の悪いものであった。また、開口部にファスナーを有する包装袋があるが、大量の品物を機械的に入れる場合には不適当であった。例えば特許文献１のように。
【特許文献１】特開２００３−７２７７５号公報
【考案の開示】
【考案が解決しようとする課題】
【０００５】
そこで、この考案は、包装袋を簡単な構造によって開けやすくし、手作業よる包装や機械作業による包装にも極めて便利な包装用袋を開発・提供することにある。
【課題を解決するための手段】
【０００６】
この考案は、包装袋の開口部に位置し、開口縁の相対向する位置を、一方を異なる位置に設け、かつ、開口縁付近にミシン目等の切り取り線を設け、かつ、複数の包装袋を束ねて固定する固定手段を設けた包装袋である。
【考案の効果】
【０００７】
この考案によると、包装袋（１）の開口部であって、相対向する開口縁（２ａ）（２ｂ）のうち、一方を異なる位置に設けたため、開口部（２ａまたは２ｂ）に段差ができ、手で触っただけで開口縁（２ａあるいは２ｂ）がわかり、そこに手を入れることにより、包装袋（１）が開口して、簡単に内部に商品（Ａ）を簡単入れることができ、該商品（Ａ）を入れた包装袋（１）を引っ張れば、切り込み線（３）を設けているため、簡単に、しかも、綺麗にカットでき、包装作業が簡単、かつ、能率的に行える。
【０００８】
また、気流を発生させるブロワー（Ｘ）を設け、該ブロワー（Ｘ）を開口部に当てることにより、簡単に包装袋（１）が開口をひらき、商品（Ａ）を順次、袋内に挿入して包装することにより、迅速に包装作業を行うことができる。
【考案を実施するための最良の形態】
【０００９】
この考案は、包装袋における開口部において、相対向する開口縁の位置を、一方を異なる位置に設け、かつ、開口縁付近にミシン目等の切り取り線を設けた包装袋である。
【実施例】
【００１０】
次に、この考案の一実施例を図面に従って詳述すると、包装袋において、該袋本体（１）の開口部であって、商品（Ａ）を挿入する，相対向する開口縁（２ａ、２ｂ）のうち、一方の開口縁を、他方の開口よりずらした位置に設け、かつ、その付近に、切り込み線（３）を入れて構成し、これら包装袋本体（１）を複数枚重合し、該重合部（４）に固定手段（５）を用いて束ねたことを特徴とする包装袋から構成されるものである。
【００１１】
固定手段（５）の一例としては、ホチキス等で複数枚の包装袋（１）を固定したり、包装袋の素材によっては、熱溶着等が考えられる。
【００１２】
尚、包装袋の一実施例を図１に示したが、この形状に限定されることはなく、葉物野菜や長葱等の野菜の種類によって包装袋の形状も当然異なるものである。
【産業上の利用可能性】
【００１３】
この考案は、内部に品物を入れやすい包装袋の技術を開発することにより、この包装袋を大量に製造・販売することにより、産業上の利用可能性を有する。
【図面の簡単な説明】
【００１４】
【図１】この考案の一実施例を示す正面図である。
【図２】この考案の一実施例を示す側面図である。
【図３】この考案の一の実施例を示す一部拡大断面図である。
【符号の説明】
【００１５】
１  袋本体
２ａ  開口縁
２ｂ  開口縁
３  切り込み線
４  重合部
５  固定手段
Ａ  商品
Ｘ  ブロワー
【図１】
0003111855.tif 000003
【図２】
0003111855.tif 000004
【図３】
0003111855.tif 000005
(57)【要約】      （修正有）【課題】門柱や、土圧があまりかからない壁にＲＣ壁を使用するときの費用、期間を縮小する。【解決手段】あらかじめ、ＲＣ壁の特徴ともいえる木痕と、輸送用の金具を取り付けた即席木痕付ＲＣ板。【選択図】図１
0003111856.tif 000002
【実用新案登録請求の範囲】
【請求項１】
作成のさいに、予め木痕調のあと、輸送用の引き上げよう金具が取り付けられたＲＣ板。
【考案の詳細な説明】
【技術分野】
【０００１】
本考案は、門柱、土圧があまりかからない壁など作成するための物である。
【背景技術】
【０００２】
外溝工事において、ＲＣ壁は土止めなどに使用される。
【０００３】
しかし、近年において、そのＲＣ壁のもつ風合いを、デザインに取り込んで庭を作成することも多くなり、土止めとしての利用以外にも用途が拡大してきている。
【０００４】
だが、ＲＣ壁の作成は、工事がおおががりになり、期間と費用がかさむという問題点があった。
【０００５】
また、上記の理由から、小規模な工事には利用がしにくく、一般家庭には普及が進んでいない。
【考案の開示】
【考案が解決しようとする課題】
【０００６】
解決しようとする問題点は、門柱や、土圧があまりかからない壁にＲＣ壁を使用するときの費用、期間を縮小することである。
【課題を解決するための手段】
【０００７】
あらかじめ、ＲＣ壁の特徴ともいえる木痕と、輸送用の金具を取り付けたＲＣ板を作成する。
【考案の効果】
【０００８】
本考案のＲＣ壁は、今までの型枠を作成してコンクリートを流し込み、硬化した後に型枠を取り外して完成するＲＣ壁と違って、現地で取り付けるだけと、現地でかかる作業時間が短くなり、費用も安くなるという利点がある。
【考案を実施するための最良の形態】
【０００９】
RC壁の現場での作業時間の縮小、費用も安くする目的を、最適なかたちで実現した。
【実施例１】
【００１０】
図１は、本考案の（１）ＲＣ壁であり特徴となる（２）木痕が付いている、また、現場での作業がやりやすいように、（３）引き上げよう金具が施工後にわかりにくくなるところに適当に付けられている。
【００１１】
（１）ＲＣ壁はすでに完成しているものなので、現地でお客の意向に従い、単独、もしくは複数枚を立ち並べることによって容を形成する。
【図面の簡単な説明】
【００１２】
【図１】ＲＣ壁の透視図である。（実施例１）
【符号の説明】
【００１３】
（１）    ＲＣ壁
（２）    木痕
（３）    引き上げよう金具
【図１】
0003111856.tif 000003
(57)【要約】      （修正有）【課題】外溝で使用する門柱、壁などの基幹部材に発泡スチロールを使用した場合に、その発泡スチロールが基礎のコンクリートから抜けとれるのを防ぐこと。【解決手段】外溝で使用する門柱、壁などの基幹部材の（１）発泡スチロールに、（２）抜け止めカットを入れる壁材用発泡スチロール。【選択図】図１
0003111859.tif 000002
【実用新案登録請求の範囲】
【請求項１】
門柱、壁の基幹部材として使用する、抜け止めカットの入った壁材用発泡スチロール。
【考案の詳細な説明】
【技術分野】
【０００１】
本考案は、外溝の基幹部材に関するものである。
【背景技術】
【０００２】
門柱や、壁の基幹部材には、ブロックを積み上げたものが主流になっているが、まれに大型の発泡スチロールを使用した基幹部材もでてきている。
【０００３】
しかし、ただ発泡スチロールを立てただけでは、発泡スチロールがコンクリートの基礎から抜けとれてしまうことによる、転倒のおそれがあった。
【考案の開示】
【考案が解決しようとする課題】
【０００４】
解決しようとする問題点は、外溝で使用する門柱、壁などの基幹部材に発泡スチロールを使用した場合に、その発泡スチロールが基礎のコンクリートから抜けとれるのを防ぐことである。
【課題を解決するための手段】
【０００５】
本考案は、外溝で使用する門柱、壁などの基幹部材の発泡スチロールに、抜け止めカットを入れたことを特徴とする。
【考案の効果】
【０００６】
本考案の。抜け止めカットの入った発泡スチロールは、普通の発泡スチロールを基幹部材に使用したものに比べて、転倒の可能性が小さくなっている。
【考案を実施するための最良の形態】
【０００７】
門柱や、壁の基幹部材に発泡スチロール使用したものにおいて、その発泡スチロールが抜けてしまう事態を最適なかたちで防止した。
【実施例１】
【０００８】
図１は、本考案の透視図です。（１）は発砲スチロール、（２）は抜け止めカットである。
【０００９】
（１）発砲スチロールの（２）抜け止めカットは、立てたときに基礎コンクリートに埋まり込む高さに入っていて、流し込んだコンクリートが固まると、埋まりこんだ下の部分が引っかかり、抜けないようになる。
【００１０】
これにより、基幹部材である発砲スチロールを使用した門柱や、壁が転倒する確立を可能な限り縮小することができた。
【産業上の利用可能性】
【００１１】
抜け止めカットが付いたことにより、今まで以上に、門柱や壁の基幹部材に発砲スチロールを使用できるようになった。
【図面の簡単な説明】
【００１２】
【図１】抜け止めカット付き壁材用発泡スチロールの透視図である。（実施例１）
【符号の説明】
【００１３】
（１）    発砲スチロール
（２）    抜け止めカット
【図１】
0003111859.tif 000003
(57)【要約】      （修正有）【課題】コアの内周面及び支持軸の外周面の加工精度が低くてもコアを短時間で安定して中心線上に固定することのできる支持軸を提供する。【解決手段】モータの巻線機におけるコア支持軸において、円柱状の中心軸２と、中心軸２の外周面と内外径の一様な管状の間隙５を介して内周面が対向するとともに、一端の外周面が減径された筒３と、前記間隙に充填された圧力媒体と、圧力媒体の圧力を変化させるピストンとを備えることを特徴とする。【選択図】図５
0003111857.tif 000002
【実用新案登録請求の範囲】
【請求項１】
モータの巻線機におけるコア支持軸において、
円柱状の中心軸と、
中心軸の外周面と内外径の一様な管状の間隙を介して内周面が対向するとともに、一端の外周面が減径された筒と、
前記間隙に充填された圧力媒体と、
圧力媒体の圧力を変化させるピストンと
を備えることを特徴とするコア支持軸。
【考案の詳細な説明】
【技術分野】
【０００１】
この考案は、モータの巻線機におけるコア支持軸に関する。
【背景技術】
【０００２】
図７に斜視図で示すように、モータコアＣの外周に突出したポールＰｎにコイルを形成するためには、コアＣの軸孔を図略の支持軸に嵌合し、ノズルＮにワイヤーＷを通してノズルＮの旋回とともにワイヤーＷを巻き付ける方法が一般的に採られている。この方法によれば、コアＣが支持軸に固定されている限り、ワイヤーＷはサイドフォーマーＳ、サイドプレートＥ及びフォーマーチップＦに案内されてポールＰｎに整列巻きされる。従来、支持軸に対するコアＣの空転防止手段として、（１）支持軸の外周面に一つ又は二つの凸部、コアの内周面にそれを受け入れる凹部を形成する、（２）支持軸に段差を設けてコアの一端面を載せ、他端面よりコアにスラストを加える、等が知られている。
【考案の開示】
【考案が解決しようとする課題】
【０００３】
しかし、上記いずれの空転防止手段もコアを支持軸に着脱自在に嵌合させるとともにコアが支持軸に対して偏芯しないようにする必要上、コアの内周面及び支持軸の外周面を高い精度で加工しなければならない。仮に高精度に加工したとしても交差の範囲内でコアの内径がばらつくことから、コアの中心と支持軸の中心を完全に一致させることは依然としてできず、巻線精度は低い。また、コアの内周面に凹部を形成することは、コアの強度低下を招く。他方、コアにスラストを加える場合、スラスト付与手段の存在故に巻線機を大型化するうえ、コアの着脱に時間がかかる。
それ故、この考案の課題は、コアの内周面及び支持軸の外周面の加工精度が低くてもコアを短時間で安定して中心線上に固定することのできる支持軸を提供することにある。
【課題を解決するための手段】
【０００４】
その課題を解決するために、この考案のコア支持軸は、
モータの巻線機におけるコア支持軸において、
円柱状の中心軸と、
中心軸の外周面と内外径の一様な管状の間隙を介して内周面が対向するとともに、一端の外周面が減径された筒と、
前記間隙に充填された圧力媒体と、
圧力媒体の圧力を変化させるピストンと
を備えることを特徴とする。
【０００５】
この支持軸によれば、筒の一端の減径部分にコアを嵌合することにより、減径されていない部分との段差をもってコアの軸方向の位置が決められる。一方、筒は減径部分が減径されていない部分に比べて薄肉である。従って、ピストンを介して圧力媒体を加圧すると、その圧力で筒の減径部分が径方向に弾力的に膨らみ、外周面がコアの内周面に圧接する。また、圧力媒体への加圧を解除すると減径部分が元の形状に復帰し、外周面とコアの内周面とが緩み嵌合状態に戻る。
【考案の効果】
【０００６】
圧力媒体の圧力で筒が径方向に均等に膨らんでコアの内周面に圧接するので、コアを安定して中心軸上に固定することができる。一方、コアと支持軸の他端との間には減径されていない部分の長さだけ距離があるので、ノズルは支持軸の固定側端部に当たることなく旋回することができる。また、コアの内周面に凹部を形成する必要はなく、支持軸だけで固定するので、高強度のコアを低コストで製造することができる。
【考案を実施するための最良の形態】
【０００７】
この考案のコア支持軸の実施形態を図面とともに説明する。図１は実施形態に係るコア支持軸を示す平面図、図２は同じく正面図、図３は同じく底面図、図４は同じく左側面図、図５は図２のＡ部軸方向断面図、図６は図２のＢＢ断面図である。
支持軸１は、円柱状の中心軸２、筒３及び円盤状のベース４を備え、正面視でほぼ逆Ｔ字状をなす。筒３は、中心軸２の外周面と内外径の一様な管状の間隙５を介して内周面が対向するとともに、上端付近の外周面が減径されている。この減径部分３１と非減径部分３２の間には段差３３があり、筒３は減径部分３１が非減径部分３２に比べて薄肉である。間隙５は上端で閉塞している。上端部の肉厚は減径部分３１の肉厚よりも厚い。筒３の下端はベース４の上面に一体的に連なり、中心軸２及び間隙５の下端はベース４の下端に至る。間隙５の下端は、図略のシールリングを介して六角ボルト２１にて液密に封止されている。
【０００８】
ベース４は、中心軸２を対称軸とする４箇所に軸方向に貫通する孔４２、４２・・４２を有し、また一方の側面に径方向に大孔４１を有する。大孔４１は、細孔４５を介して間隙５に通じている。大孔４１にはピストン４３がシールリング４４を介して往復動可能に挿入されている。大孔４１におけるピストン４３の後方の内周面には雌ねじが切られ、それに六角穴付きの止めねじ４４がねじ嵌合されている。間隙５には油（図示省略）が充填されている。
【０００９】
支持軸１は、巻線機の軸固定台に搭載され、孔４２、４２・・４２を通過するボルト（図示省略）によって固定される。そして、コアＣを減径部分３１に嵌合し、段差３３の上に載せた状態で止めねじ４４を締めると、ピストン４３が止めねじ４４に押されて仮想線で示すように前進し、油を加圧する。すると、その圧力で減径部分３１が径方向に弾力的に膨らみ、外周面がコアＣの内周面に圧接する。これによりコアＣが支持軸１に固定される。非減径部分３２の長さが十分に長いので、コアＣの高さ位置はノズルが余裕をもって旋回することができる程度に決められている。
また、巻線が終了したときは、雌ねじを緩める。すると間隙５内の油圧が下がるとともに減径部分３１が弾性復元力により収縮し、その外周面とコアＣの内周面とが緩み嵌合状態に戻り、コアＣを直ぐに取り出すことができる。
【図面の簡単な説明】
【００１０】
【図１】実施形態に係るコア支持軸を示す平面図である。
【図２】同じく正面図である。
【図３】同じく底面図である。
【図４】同じく左側面図である。
【図５】図２におけるＡ部軸方向断面図である。
【図６】図２におけるＢＢ断面図である。
【図７】コアにワイヤを巻き付けているところを示す斜視図である。
【符号の説明】
【００１１】
１  支持軸
２  中心軸
３  筒
４  ベース
５  間隙
【図１】
0003111857.tif 000003
【図２】
0003111857.tif 000004
【図３】
0003111857.tif 000005
【図４】
0003111857.tif 000006
【図５】
0003111857.tif 000007
【図６】
0003111857.tif 000008
【図７】
0003111857.tif 000009
(57)【要約】【課題】廃材である裁断紙幣を利用した製品を提供すること。【解決手段】裁断紙幣を結合剤と混ぜ固めたもの１に樹脂などでコーティング層２を施す。【選択図】図１
0003111825.tif 000002
【実用新案登録請求の範囲】
【請求項１】
廃材である裁断紙幣を透明乃至半透明の結合剤と混ぜ、これをプレス成型、射出成型などで成型し固め、かつ表面を樹脂などでコーティングして成る製品。
【請求項２】
廃材である裁断紙幣を透明乃至半透明の結合剤と混ぜ、これを中空であるガラス、合成樹脂などで出来た部材に注入、加圧し固め密閉して成る製品。
【考案の詳細な説明】
【技術分野】
【０００１】本考案は、廃材である裁断紙幣を利用した製品に関する。
【背景技術】
【０００２】近年、省資源化や廃棄物の削減などを目的として、廃材を再利用することが着目されている。廃材を粉砕し、結合剤で固めた製品はあるが、廃材である裁断紙幣を結合剤で固めた製品はなかった。
【考案の開示】
【考案が解決しようとする課題】
【０００３】廃材である裁断紙幣を利用した製品を提供すること。
【課題を解決するための手段】
【０００４】上記の目的を果たすために開発された本考案は、廃材である裁断紙幣を原料とする製品であって、上記裁断紙幣を透明乃至半透明の結合剤と混ぜ固め、かつ表面を樹脂などでコーティングして成るもの又は、上記裁断紙幣を透明乃至半透明の結合剤と混ぜ、かつこれを中空であるガラス、合成樹脂などで出来た部材に注入、加圧し固め密閉して成ることを特徴とする製品である。
【考案の効果】
【０００５】裁断紙幣を透明乃至半透明の結合剤と混ぜ固めることで、裁断紙幣の散逸を防ぐ効果がある。また、裁断紙幣を透明乃至半透明の結合剤と混ぜ固め、かつ表面を樹脂などでコーティング又は、裁断紙幣を透明乃至半透明の結合剤と混ぜ、かつこれを中空であるガラス、合成樹脂などで出来た部材に注入、加圧し固め密閉することで、直接裁断紙幣と皮膚との接触を防ぐことができ衛生的である。
【考案を実施するための最良の形態】
【０００６】次に実施例により本考案をさらに詳細に説明する。
【実施例】
【０００７】図１は、裁断紙幣を透明乃至半透明の結合剤と混ぜ固めた本体１の表面を樹脂などでコーティング層２を施したものである。【０００８】図２は、中空であるガラス、合成樹脂などで出来た部材３に裁断紙幣を透明乃至半透明の結合剤と混ぜた本体１を注入、加圧し固め密閉用部材４を接着して密閉したものである。【０００９】裁断紙幣を透明乃至半透明の結合剤と混ぜ固めた本体１には、木片、紙片、樹脂片、金属片なども混ぜることができる。必要によりその他の充填材、顔料等を少量加えてもよい。また、透明乃至半透明の結合剤としては合成樹脂系、合成ゴム系などがあるが、これらに限定されない。【００１０】本考案の形状及び大きさについては特に限定はなく、例えば人形の形にして置物としても良いし、小さな形状を作りストラップ、キーホルダーなどにしても良い。
【図面の簡単な説明】
【００１１】
【図１】この考案の一実施形態を示す正面図である。
【図２】この考案の一実施形態を示す正面図である。
【符号の説明】
【００１２】１  裁断紙幣を透明乃至半透明の結合剤と混ぜた本体
２  コーティグ層
３  ガラス、合成樹脂などで出来た部材
４  密閉用部材
【図１】
0003111825.tif 000003
【図２】
0003111825.tif 000004
(57)【要約】【課題】  河川の汚濁の主な原因となる生活排水は、下水処理施設でも十分に処理できず、環境に大きな負荷を与えている。  このことから、流しに流さずに生活排水を吸水処理するパックを提供する。【解決手段】  透水性を有する材質でできた袋体１に、吸水性高分子を有する吸水体２を封入したものである。【選択図】  図２
0003111826.tif 000002
【実用新案登録請求の範囲】
【請求項１】
透水性を有する材質でできた袋体に吸水性高分子を有する吸水体を封入した、生活排水を吸水処理するパック。
【考案の詳細な説明】
【考案の詳細な説明】
【技術分野】
【０００１】  本考案は、従来下水に流していたカップ麺の残汁や余ったみそ汁等の生活排水を吸水し、焼却ゴミとして処理することを目的とした生活排水を吸水処理するパックに関する。
【背景技術】
【０００２】  空気中の水分を吸湿する製品や、尿等を吸収するシーツは数多く存在する。
【考案の開示】
【考案が解決しようとする課題】
【０００３】  河川の汚濁は主な原因が生活排水にあり、その中でも台所からの排水の負担が最も大きくなっている。また、下水処理施設でも富栄養化の原因となる窒素やリンは十分に取り除けず、環境に大きな負荷を与えている。
このことから、台所からの生活排水を減らすことが、環境負荷の低減につながると考えられるが、従来は流しに流さずに処理できる適当な物がなかった。
【課題を解決するための手段】
【０００４】  本考案の生活排水を吸水処理するパックは、透水性を有する材質でできた袋体に、純水であれば自重の数百倍から千倍ほど吸水しゲル化固定する作用のある吸水性高分子を有する吸水体を封入したものである。
【考案の効果】
【０００５】  本考案の生活排水を吸水処理するパックによると、従来下水に流していたカップ麺の残汁や余ったみそ汁等の生活排水を吸水させ、焼却ゴミとして処理することが可能となる。
それにより、河川の汚濁の主な原因となる台所からの生活排水を減少させ、環境負荷の低減効果を奏するものである。
【考案を実施するための最良の形態】
【０００６】  本考案の生活排水を吸水処理するパックを図面により説明する。図１、図２に示すように、透水性を有する材質でできた袋体１に、吸水性高分子を有する吸水体２を封入したものである。
【実施例】
【０００７】  本考案の生活排水を吸水処理するパックを、吸水処理させる対象となるカップ麺の残汁や余ったみそ汁等の生活排水中に入れ、吸水後に焼却ゴミとして処理する。
【図面の簡単な説明】
【０００８】
【図１】本考案の生活排水を吸水処理するパックの平面図である。
【図２】生活排水を吸水処理するパックの断面図である。
【符号の説明】
【０００９】１  透水性を有する材質でできた袋体
２  吸水性高分子を有する吸水体
【図１】
0003111826.tif 000003
【図２】
0003111826.tif 000004
(57)【要約】【課題】    ようじだけでは歯間や歯の表面の全ての食べカスを取る事ができない不都合を解消。【解決手段】    ようじＹに綿繊維Ｍを巻き付けた綿付つまようじ１０により、この課題を解決する。【選択図】    図１
0003111828.tif 000002
【実用新案登録請求の範囲】
【請求項１】
歯間の食べカスを取り除く為のようじと、このようじの上端部に巻き付けられた綿繊維と、を備えた綿付つまようじ。
【考案の詳細な説明】
【技術分野】
【０００１】  本発明は口内清掃に使用するつまようじに関する。
【背景技術】
【０００２】  従来のつまようじでは、歯間の食べかすを先端の細い部分で取り除いていた（図１）。
【考案の開示】
【考案が解決しようとする課題】
【０００３】  しかし、これでは、食べかすの挟まり具合によって取り除きにくい場合がある。また、歯の表面に付着した食べかすは、ようじの先端が細いため、取り除くには困難である。
【課題を解決するための手段】
【０００４】  そこで、ようじの上端部に楕円状の綿を取り付ける事を考案した。この綿付つまようじにより、綿の部分で歯間と歯の表面の食べかすが容易に取り除けるのである。
【考案の効果】
【０００５】  よって、本考案の綿付つまようじにより、歯間や歯の表面の食べかすが取り除きにくくなる事がなくなる。また、楕円状の綿なので、歯ぐきを痛める事なく心地よい使用感である。
【考案を実施するための最良の形態】
【０００６】  本考案に係わる綿付つまようじ１０は、図１に示すように、つまようじ部Ｙの端部に楕円状に綿繊維Ｍが巻きつけてある。綿付つまようじ１０の長さは手の中に収まる程度である。綿繊維Ｍの大きさは口内入れた際、円滑に動かせる程度のものがよい。
【産業上の利用可能性】
【０００７】  本考案に係わる綿付つまようじは工業的に量産することが可能であるため、産業上の利用可能性を有する。
【図面の簡単な説明】
【０００８】
【図１】  本考案に係わる綿付つまようじの外観図である。
【符号の説明】
【０００９】  Ｙ    つまようじ
Ｍ    綿繊維
１０    綿付つまようじ
【図１】
0003111828.tif 000003
(57)【要約】      （修正有）【課題】本考案は夜間にバイク及び自動車の運転手等から、使用者の存在をより早くより遠くから認識出来る様にする為、自己発光し、尚且つ柔軟性を持つ事により、使用用途を広げられる発光装置を提供する。【解決手段】発光ダイオード７を、等間隔にチューブ６内に配列し、数パタ−ンの点滅をさせ内蔵のバインド９線で、形を自由自在に変える事により、巻き付けや取り付けを可能にした。また、脱却可能の別電源及びスイッチ付きのグリップ式照明ライトボックス１を取り付ける事により、照明ライト３にて周囲を照らし安全性を高める事が出来る。グリップ部分は、散歩紐の手元部分を収納でき、一体化させることが出来る。【選択図】図１
0003111871.tif 000002
【実用新案登録請求の範囲】
【請求項１】
高輝度発光ダイオードを、等間隔にチューブ内に配列し、電気回路付き電源スイッチボックスのスイッチ操作にて、数パタ−ンの点滅をさせると同時に、チューブ内には、バインド線が入っており、チューブの形を自由自在に変える事により、巻き付けや取り付けを可能にし、また、スイッチボックスには、脱却可能の別電源及びスイッチ付きのグリップ式照明ライトボックスを取り付ける事が出来、そのグリップ式照明ライトボックスには、ペットの散歩紐の手元部分を収納することが出来るように構成されたチューブ型発光安全器具。
【考案の詳細な説明】
【技術分野】
【０００１】
この考案は夜間時、バイク、自動車の運転手等から使用者を早期に認識し、交通事故を未然に防ぐ為の、チューブを使った柔軟性のある発光装置を、多岐な用途で使用できるようにしたものである。
【背景技術】
【０００２】
従来の反射材を利用した物は、自らが発光しない為認識性が低く、また自己発光できる装置も箱型又は棒型等の為、取り付け場所によっては一方向からしか認識できない場合もあり、使用できる用途が限られていた。また、ペットの散歩紐埋め込み型等もあるが、ペット専用でしか使用できない。
【特許文献１】特開２００３−０４７３６１号公報
【考案の開示】
【考案が解決しようとする課題】
【０００３】
本案は夜間にバイク及び自動車の運転手等から、使用者の存在をより早くより遠くから認識出来る様にする為、自己発光し尚且つ柔軟性を持つ事により、使用用途を広げられる発光装置を提供する。
【課題を解決するための手段】
【０００４】
電気回路が組み込まれたスイッチ付き電源ボックスより、先端に発光ダイオードを取り付けた、数本のリ−ド線をチューブの中へ入れる。その時、発光ダイオードが、等間隔に配列されるよう、あらかじめリード線の長さを揃えておく。チューブを使うことで防水効果も得られ、曲げたり、巻いたりが可能になり用途を広げることが出来る。又、スイッチ操作にて数パタ−ンの点滅運動が可能となり、用途に応じより認識性を高める事が可能となる。同時にチューブ内へ、バインド線を入れることにより、チューブの形を自由自在に変える事が出来、巻き付けや、取り付けを可能とした。又必要に応じて電源ボックスには、別電源及びスイッチを持つ脱却可能のグリップ式照明ライトボックスを取り付ける事も出来、照明ライトにて足元や、周囲を照らす事も出来る。そのグリップ式照明ライトボックスにはペットの散歩紐の手元部分を収納することが可能であり、収納する事により散歩紐が一体となり、別に散歩紐を持つ煩わしさも解決できる。又、照明ライトボックス単体で使用することも可能である。
【考案の効果】
【０００５】
夜間に、バイクや、車などから早期に使用者の存在を認識させることができる為、交通事故を未然に防止する事が出来る。また、必要に応じてグリップ式照明ライトボックスを取り付ける事により、照明ライトにて足元や周囲を照らす事が出来るので、さらに安全性を高める事が出来る。
【考案を実施するための最良の形態】
【０００６】
認識性の高い色の高輝度発光ダイオ−ドを、等間隔に配列したバインド線入りチューブ部分を人や、物に巻き付けたり取り付けたりし、電気回路の入った電源スイッチボックスのスイッチ操作で点滅タイプを選び、発光ダイオ−ドを点滅発光させ、夜間時に、人や物の存在をより遠くからより早くバイクや、車の運転手に認識させる事が出来る。また、必要時には別電源及びスイッチ付きのグリップ式照明ライトボックスを取り付け、照明ライトにて足元や周囲を照らす事も出来る。
【実施例】
【０００７】
ペットの散歩紐に取り付けペット及び飼い主の安全性を高める。
【０００８】
高齢者等のウォ−キング運動時に腕に巻きつけ前後方及び、左右からも認識できるようにする。
【０００９】
学習塾帰りの子供の自転車後方に巻きつける事により、安全性を高める。杖、車椅子、べビ−カ−、リックサックなどその他の使用用途は数え切れない。
【産業上の利用可能性】
【００１０】
この考案は、夜間にバイクや、自動車の運転手等から使用者の存在を早期に認識させ、交通事故を未然に防ぐ為の、安全器具に関するものである。
【図面の簡単な説明】
【００１１】
【図１】本考案の全体図
【図２】分割時のグリップ式照明ライトボックス部分
【図３】分割時の本体部分
【図４】グリップ式照明ライトボックス裏側
【符号の説明】
【００１２】
1は脱却可能グリップ式照明ライトボックス    
2は照明ライト用スイッチ
3は照明ライト
4は電気回路付き電源スイッチボックス
5は発光ダイオ−ド点滅操作スイッチ
6は透明チュ−ブ
7は高輝度発光ダイオ−ド
8はリ−ド線
9はバインド線
10はペット用散歩紐収納溝
11は電池交換用蓋
【図１】
0003111871.tif 000003
【図２】
0003111871.tif 000004
【図３】
0003111871.tif 000005
【図４】
0003111871.tif 000006
(57)【要約】【課題】吸着パッドが揺動しても、吸着するのにコツが要らず、作業時間が短縮できる湾曲面を持つ荷役物用のアタッチメントを提供する。【解決手段】吸着パッドを複数設け、湾曲面を吸着するタッチメントにおいて、吸着パッドの真空源を独立して複数設けた。【選択図】図３
0003111869.tif 000002
【実用新案登録請求の範囲】
【請求項１】
吸着パッドを基部の左右の位置に設け、湾曲面を吸着するアタッチメントにおいて、吸着パッドの真空源を左右に独立して設けたことを特徴とする荷役物運搬機のアタッチメント。
【考案の詳細な説明】
【技術分野】
【０００１】
本考案は、荷役物が湾曲した形状を持ち、その湾曲した面を吸着パッドで吸着する荷役物運搬機のアタッチメントに関するものである。
【背景技術】
【０００２】
従来、ペール缶の様な側面に湾曲面を持つ丸缶を側面吸着する場合、比較的大きい径は２パッド以上で吸着し、径が小さいものは１パッドで吸着する。径が違う丸缶を２パッド以上で吸着する場合は、パッドピッチ可変や吸着パッドの揺動機構で対応する。
【０００３】
図４は、従来の上面図である。図４（ａ）は、小径の丸缶１８を吸着した図である。図４（ｂ）は、大径の丸缶１９を吸着した図である。基部２０に吸着パッド金具２１・２２を備えている。吸着パッド金具２１・２２を介して吸着パッド２３・２４が右と左に取り付けられている。吸着パッド金具２１・２２は、パッドピッチが可変で、丸缶の大きさに合わせて、スライドが可能である。吸着パッド金具２１・２２は、吸着パッド面が揺動する機構を備えている。また、吸着パッド２３・２４の真空源は真空源２５の１つである。（吸着パッド２３・２４と真空源２５を繋げる配管は図示せず）
【０００４】
しかし、丸缶の径が違う場合は、吸着パッドを固着する事はできず、吸着パッド面が揺動する機構が必要だった。また、真空源が１つであり、複数の吸着パッドを同時に丸缶の湾曲面に同時に当てようとしても吸着パッドが揺動して、吸着するのにコツが要り、時間が掛かっていたという欠点があった。図４（ｂ）で説明すると、真空源が１つなので、吸着パッド２３を押さえて付けても、吸着パッド２４が丸缶にピッタリ触れていないので、吸着パッド２３は丸缶に触れているだけで吸着していない。真空源が１つの場合は、吸着パッド２３・２４が同時に丸缶１９にピッタリ触れていないと吸着しないという欠点があった。
【考案の開示】
【考案が解決しようとする課題】
【０００５】
解決しようとする問題点は、丸缶を複数の吸着パッドで吸着する場合に、コツが必要であり、スムースに吸着できない点である。
【課題を解決するための手段】
【０００６】
本考案は、吸着パッドの真空源を左右に独立して設けたことを最も主要な特徴とする。
【考案の効果】
【０００７】
本考案のアタッチメントは、吸着パッド面が揺動しても、左右の吸着パッドが独自に吸着をするので、吸着するのにコツが要らず、作業時間が短縮できる利点がある。
【実施例１】
【０００８】
図１は、荷役物運搬機の概念図である。台座１に、旋回台２を介して本体部３が支承されている。本体部３にアーム４が係合され、アーム４先端にはアタッチメント５を備えている。よって、作業者５が操作部６を握り、アタッチメント７で荷役物の丸缶８を吸着パッド９で吸着して、荷役物運搬機１０で三次元に丸缶８を移載させる事ができる。
【０００９】
図２は、丸缶とアタッチメントの上面図である。丸缶８を吸着した状態である。基部１０に吸着パッド金具１１・１２を備えている。吸着パッド金具１１・１２を介して吸着パッド１３・１４が左右に取り付けられている。吸着パッド金具１１・１２は、丸缶８の大きさに合わせて吸着パッド１３・１４の面が揺動し角度が可変する。左の吸着パッド１３の真空源１５と、右の吸着パッド１４の真空源１６を備えている。真空源１５・１６は、左右の吸着パッド１３・１４に独立して設けている。径の大きさが違う缶に対応する場合は、吸着パッド金具１１・１２で吸着パッド１３・１４の角度を可変させる。大きさが相当違う丸缶に対応するために、吸着パッド金具が可変できるようにスライド機構も付加できる。（吸着パッド１３と真空源１５、吸着パッド１４と真空源１６を繋げる配管は図示せず）
【００１０】
図３は、丸缶とアタッチメントの上面図である。左の吸着パッド１３のみが丸缶８を吸着した状態である。符号は図２と同様である。
【００１１】
図２・３を用いて作用を説明する。吸着パッド１３・１４に丸缶が接触していない状態から、吸着パッド１３を丸缶８に接触させる。真空源１５は、吸着パッド１３の専用の真空源であるので、吸着パッド１４が丸缶８に触れていなくても、図３の様に吸着パッド１３は丸缶８に吸着する。次に、吸着パッド１４を丸缶８に吸着させる時は、吸着パッド１３の角度が変る部位を支点１７としてパッド１４が弧を描くように丸缶８に近づく。真空源１６は、吸着パッド１４の専用の真空源であるので、吸着パッド１４は丸缶８に吸着する。吸着パッド１３と吸着パッド１４が丸缶８に吸着した状態が図２である。この様に、真空源１５・１６が独立しているので、夫々の吸着パッド１３・１４が丸缶８に触れれば吸着する。そして、荷役物運搬機１０で、丸缶８を任意の位置に運搬でき、脱ボタン（図示せず）で丸缶８を吸着パッド１３・１４から外す事ができる。
【図面の簡単な説明】
【００１２】
【図１】荷役物運搬機の概念図である。
【図２】丸缶とアタッチメントの上面図である。
【図３】丸缶とアタッチメントの上面図である。
【図４】従来の上面図である。
【符号の説明】
【００１３】
１    台座
２    旋回台
３    本体部
４    アーム
５    作業者
６    操作部
７    アタッチメント
８    丸缶
９    吸着パッド
１０  基部
１１  吸着パッド金具
１２  吸着パッド金具
１３  吸着パッド
１４  吸着パッド
１５  真空源
１６  真空源
１７  支点
１８  丸缶
１９  丸缶
２０  基部
２１  吸着パッド金具
２２  吸着パッド金具
２３  パッド金具
２４  パッド金具
２５  真空源
【図１】
0003111869.tif 000003
【図２】
0003111869.tif 000004
【図４】
0003111869.tif 000005
【図３】
0003111869.tif 000006
(57)【要約】      （修正有）【課題】テニス初心者、中級者が簡単に上級者等の優れたサーブ動作を修得することが可能なテニスサーブ練習具を提供する。【解決手段】本練習具を使用してサーブ動作を行った場合、上級者等の動作に近似した軌跡の場合は、グリップ１と本体部２のスプリングピン４で接続した中折れ接続部３は折れ曲がりを見せず、これよりずれた軌跡動作の場合は、動作の途中で中折れ部が折れ曲がりを来たす。このため中折れ部が折れ曲がりを見ない軌跡動作を体得し、繰り返すことにより、上級者等の安定で優れたサーブ動作が短時間で容易に体得出来る。【選択図】図１
0003111865.tif 000002
【実用新案登録請求の範囲】
【請求項１】
グリップ部とスプリングピンで中折れ接続部を有する本体部からなるテニスサーブ練習具。
【考案の詳細な説明】
【技術分野】
【０００１】
考案はスポーツ、レクリエーションとして愛好されているテニス練習具に関する。
【背景技術】
【０００２】
近年、青少年から老壮年にわたり競技、余暇の活用スポーツ、レクリエーションとしてテニスが国内外で広く愛好されてきている。テニス打法・ストロークの練習に関しては各種器具、方法の提案がなされており、活用されている。ところが最も基本的動作であるサーブに関しては、通常のラケットを使っての練習方法のみに止まっている。
【考案の開示】
【考案が解決しようとする課題】
【０００３】
このため、高度な技術を有する一部プロ選手、上級者を除いて初心者、中級者においては、テニスのサーブ動作が最も難しいものになっている。従来僅かに実開昭５５−１０４４６７にひもを利用したサーブ、スマッシュ練習具等が提案されているが広く普及するに至っていない。
【課題を解決するための手段】
【０００４】
本考案者は、高度で安定的に優れた技術を有するプロ選手、上級者（以下上級者等と称する）のサーブ動作を注意深く観察、確認したところ、そのラケットの軌跡が安定的で極めて類似であることを見出し、この軌跡を踏襲することが可能となる練習具考案に至った。即ちグリップ部とスプリングピンで中折れ接続部を有する本体部からなるテニスサーブ練習具（以下練習具と称する）である。    
【考案の効果】
【０００５】
考案による練習具を使用してサーブ動作を行った場合、上級者等の動作に近似した軌跡の場合は、グリップと本体部のスプリングピンで接続した中折れ接続部は折れ曲がりを見せず、これよりずれた軌跡動作の場合は、動作の途中で中折れ部が折れ曲がりを来たす。このため中折れ部が折れ曲がりを見ない軌跡動作を体得し、繰り返すことにより、上級者等の安定で優れたサーブ動作が短時間で容易に体得出来る。
【考案を実施するための最良の形態】
【０００６】
考案に使用されるサーブ練習具の材質は特に規定されず、木材、プラスチック、軽量金属及びこれらの複合体も適用され、グリップと中折れ接続部を持つ本体部分が異なる材質で構成される場合も本考案の目的に合致する。練習具の長さは通常のテニスラケットと同等又は１／２程度の間であることが望ましく、特に狭い室内での練習用としての活用が可能となる。更に練習具先端にテニスボール又はテニスボールに近似した円盤状・球状部を具備することも可能で本考案の使用上有用となる。
【実施例】
【０００７】
（実施例１）
対角３cmの八角形断面で長さ１５cmのグリップ部とこれに接続する、長さ２６cm、厚さ１cm、幅２cmの板状と直径５cmの先端円部を持つ本体部をポリプロピレン樹脂で作成し、本体グリップ部寄り９cm部分を加工、金属スプリングピンで接続して中折れ接続部１箇所を持った練習具を作製した。
【実用上の利用可能性】
【０００８】
考案の練習具は通常のテニスラケットに比べ小型、軽量、安価で携帯も簡単で、室内等狭い場所でも容易に使用が可能であり、上級者等の優れたサーブ動作を修得することが可能な練習具で、テニス初心者、中級者に広く利用可能なテニスサーブ練習具である。
更に、本練習具は通常のストローク動作矯正に活用展開することも可能である。
【図面の簡単な説明】
【０００９】
【図１】考案の中折れ接続部を有する練習具の概観図である。
【符号の説明】
【００１０】
１    グリップ部
２    本体部
３    中折れ接続部
４    スプリングピン
５    先端円部
【図１】
0003111865.tif 000003
(57)【要約】【課題】  本考案は、仰向けに寝た時は後頭部が枕中央部の溝にフィットすることで快眠が得られ、また左右横向寝でも、耳が溝に挟まれるように挿入されることで、耳が圧迫される不快感を軽減し、快適な睡眠が得られる快眠枕を提供する。【解決手段】  本考案は、枕形状の中央部中心部分の中間途中迄にある、２を設け、睡眠時の仰向寝の時は、枕の中央部中心中間にある縦細長の溝部分に、後頭部が溝部分に吸いつくように縦細長の溝に収まり、快眠が得られ左右横向き寝の時は、縦細長部分の溝に耳が挟まれるように溝に耳が挿入され、耳が圧迫される不快感からも逃れ、快適な睡眠が得られる。よって、枕中央部中心部分中間途中迄にある枕本体２を設ける事で、快適な睡眠を得られる事から、本考案が意図する快適な睡眠を提供する為の快眠枕である。【選択図】  図１
0003111832.tif 000002
【実用新案登録請求の範囲】
【請求項１】
枕本体の中央中心部分途中迄、縦細長に上から下まで溝を空け、普通に仰向きに寝る時は、後頭部が自然に溝に納まって快眠が得られ、左右横向き寝の時にも、自然に耳を挟むように耳が溝に挿入され、快適な眠りが得られることで、枕中央中心部途中迄、枕の中央部分を上から下まで、縦細長に溝を空け、空洞部分を造った事を特徴とする。
【考案の詳細な説明】
【技術分野】
【０００１】  本考案は就寝中、後頭部が枕に収まりがつかず、快眠が得られない。又左右横向き寝に寝ると、耳が圧迫され充分な睡眠が取れないことから、充分に快眠が得られるよう、枕の中央中心部分途中迄、縦細長に溝を空けて快適な睡眠が得られる事を目的とした枕。
【背景技術】
【０００２】  就寝時、耳の圧迫感等や、枕が合わずなかなか寝つかない事が多く、常に快眠が得られるよう枕中央部に、上から下まで縦細長に枕の中央に溝を空けた枕。
【考案の開示】
【考案が解決しようとす課題】
【０００３】  従来の枕に比べ、より快適に睡眠が得られ、快眠が得られるように考案した枕の提供。
【課題を解決するための手段】
【０００４】  本考案は、従来の枕では満足出来ず、枕中央の中心部分途中迄、縦細長に溝を空けた事で、就寝中仰向きの時は、後頭部が中央の中心部途中部分迄の、縦細長の溝に後頭部が枕の溝部分に気持ち良く収まり、左右横向き寝の時でも、耳が枕の中央の中心部途中迄にある縦細長の枕の溝に、耳が挟まれるように挿入され、耳の圧迫感もなく、快適な睡眠が得られる事を目的としている。
【考案の効果】
【０００５】  本考案の枕は、多種ある枕の中でも、枕中央の中心部分途中迄、縦細長に溝を空ける事で仰向き寝の時、後頭部の収まりもよく、左右横向寝の場合でも、耳の圧迫感からの負担を軽減し、心地よい眠りに入る事ができ、中央の中心部分途中迄しか縦細長の溝を空けない事で、溝から風が入りにくい為、冬でも耳と肩を冷やすことなく快眠ができる。
【考案の実施するための最良の形】
【０００６】  枕の形状の、中央の中心部分途中迄空けた溝部分は、後頭部に接触する溝部分は、鋭角か、もしくは丸みをつける事で、接触する後頭部部分が不快になることを防ぎ、また左右横寝の場合でも、耳の圧迫感からの不快も軽減される事から、心地よい快眠が得られる。
【実施例】
【０００７】  以下、添付図面に従って一実施例を説明する。枕１の中央中心途中の溝部分は、２の形状のように中央の中心部分を縦細長型に空け、２の部分が溝部分に後頭部に密着し、快眠が得られ、耳の圧迫感からも避ける為の溝であり、溝部分の形状を保持することができる為の材料であるなら、使用する材料、材質については枕本体も含め限定はしない。
【図面の簡単な説明】
【０００８】
【図１】本考案の快眠枕の一実施例を示す枕全体図である。
【図２】本枕の上面からみた断面図である。
【図３】本枕の横面からみた断面図である。
【符号の説明】
【０００９】１  枕本体
２  縦細長に空けた空洞の溝
【図１】
0003111832.tif 000003
【図２】
0003111832.tif 000004
【図３】
0003111832.tif 000005